(57)【要約】【課題】外包材が、腹側シート部材と背側シート部材とに分割されたタイプのパンツ型吸収性物品であって、着用者の臀部の被覆性に優れたパンツ型吸収性物品を提供すること。【解決手段】腹側シート部材２Ａ、背側シート部材２Ｂ及び吸収性本体３を有する外包材前後分割タイプのパンツ型吸収性物品１であり、背側シート部材２Ｂは、サイドシール部４より下方に延出する背側延出部２１ｂを有し、吸収性本体３は、縦長の吸収体３３及び側部シート部３４を有する。側部シート部３４は、股下部Ｃ及び背側延出部２１ｂ上に、伸長状態で固定された弾性部材３６により伸縮性を示す伸縮領域３４ｃを有し、背側シート部材２Ｂの少なくとも背側延出部２１ｂに、伸縮領域３４ｃが接合されて背側縦伸縮部Ｅｂが形成され、該伸縮部Ｅｂの収縮により、自然状態における背側シート部材２Ｂの該伸縮部Ｅｂ付近の下縁部２ｄに、上方に向けて凸に屈曲した部分Ｐｂが生じている。【選択図】図１
2012075801.tif 000002
【特許請求の範囲】
【請求項１】
着用者の腹側に配される腹側シート部材と、着用者の背側に配された背側シート部材と、腹側シート部材及び背側シート部材に架け渡して固定された縦長の吸収性本体とを具備し、腹側シート部材と背側シート部材の両側縁部に、腹側シート部材と背側シート部材とが接合されて形成された一対のサイドシール部を有するパンツ型吸収性物品であって、
前記背側シート部材は、矩形状を有し、前記サイドシール部より下方に延出する背側延出部を有しており、
前記吸収性本体は、縦長の吸収体、及び該吸収体の長手方向の両側縁それぞれの外方に位置する側部シート部を有しており、
前記側部シート部は、着用者の股間部に配される股下部及び前記背側延出部上に、該側部シート部に伸長状態で固定された弾性部材によって伸縮性を示す伸縮領域を有しており、
前記背側シート部材の少なくとも前記背側延出部に、前記伸縮領域の幅方向の少なくとも一部が接合されて該伸縮領域と共に伸縮する背側縦伸縮部が形成されており、該背側縦伸縮部の収縮により、自然状態の吸収性物品における前記背側シート部材の該背側縦伸縮部付近の下縁部に、上方に向けて凸に屈曲した部分が生じているパンツ型吸収性物品。
【請求項２】
前記背側縦伸縮部は、前記伸縮領域の幅方向における前記弾性部材が配されている部分が前記背側シート部材に接合されて形成されている、請求項１記載のパンツ型吸収性物品。
【請求項３】
前記背側縦伸縮部は、前記伸縮領域の幅方向における前記弾性部材が配されていない部分のみが前記背側シート部材に接合されて形成されている、請求項１記載のパンツ型吸収性物品。
【請求項４】
前記腹側シート部材に、前記伸縮領域の幅方向の少なくとも一部が接合されて該伸縮領域と共に伸縮する腹側縦伸縮部が形成されており、該腹側縦伸縮部の収縮により、自然状態の吸収性物品における前記腹側シート部の該腹側縦伸縮部付近の下縁部に、上方に向けて凸に屈曲した部分が生じている請求項１〜３の何れか１項に記載のパンツ型吸収性物品。
【請求項５】
前記吸収性本体が、前記側部シート部より幅方向の内側に、立体ギャザーが形成されるようになされている請求項１〜４の何れか１項に記載のパンツ型吸収性物品。
【請求項６】
着用者の腹側に配される腹側シート部材と、着用者の背側に配された背側シート部材と、腹側シート部材及び背側シート部材に架け渡して固定された縦長の吸収性本体とを具備し、腹側シート部材と背側シート部材の両側縁部に、腹側シート部材と背側シート部材とが接合されて形成された一対のサイドシール部を有するパンツ型吸収性物品であって、
前記背側シート部材は、矩形状を有し、前記サイドシール部より下方に延出する背側延出部を有しており、
前記吸収性本体は、縦長の吸収体、該吸収体の長手方向の両側縁それぞれの外方に位置する側部シート部、及び該側部シート部より幅方向の内側に立体ギャザーを形成する立体ギャザー形成部を備えており、
前記側部シート部は、着用者の股間部に配される股下部及び前記背側延出部上に、該側部シート部に伸長状態で固定された弾性部材によって伸縮性を示す伸縮領域を有しており、前記伸縮領域は、その幅方向における前記弾性部材が配されている部分が、前記背側延出部に接合されておらず、
前記立体ギャザー形成部は、前記股下部及び前記背側延出部上に前記立体ギャザーを形成するようになされており、
前記背側シート部材の少なくとも前記背側延出部における前記吸収体の側縁付近に、該吸収性本体の長手方向に伸縮する背側縦伸縮部が形成されており、該背側縦伸縮部の収縮により、自然状態の吸収性物品における前記背側シート部材の該背側縦伸縮部付近の下縁部に、上方に向けて凸に屈曲した部分が生じているパンツ型吸収性物品。
【請求項７】
前記吸収体は、前記股下部における、中央部と両側部との間に、吸収性コアの構成材料が配されていない欠落部又は該吸収性コアの構成材料が他の部分に比して少ない低坪量部からなる柔軟部を有している、請求項６記載のパンツ型吸収性物品。
【請求項８】
前記腹側シート部材も、矩形状を有し、該サイドシール部より下方に延出する腹側延出部を有している請求項１〜７の何れか１項に記載のパンツ型吸収性物品。
【請求項９】
前記背側縦伸縮部が、前記背側シート部材における、前記背側延出部と、両側縁部に前記サイドシール部を有する背側本体部とに跨って存在している請求項１〜８の何れか１項に記載のパンツ型吸収性物品。
【請求項１０】
前記腹側縦伸縮部が、前記腹側シート部材における、前記腹側延出部と、両側縁部に前記サイドシール部を有する腹側本体部とに跨って存在している請求項８記載のパンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部、着用者の股間部に配される股下部及び着用者の背側に配される背側部に亘る砂時計状の外包材と、該外包材の内面側に固定された吸収性本体とを備え、腹側部における外包材の両側縁部と背側部における外包材の両側縁部とが接合されてウエスト開口部及び一対のレッグ開口部が形成されているパンツ型吸収性物品が知られている。
このようなパンツ型吸収性物品を連続生産する際には、外包材の帯状原反にレッグ開口部形成用の貫通孔や切り欠きを形成し、不要な部分をトリムとして除去するのが一般的である。
【０００３】
また、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが接合されているパンツ型吸収性物品が知られている（特許文献１，２参照）。
また、特許文献３には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類（パンツ型吸収性物品）が記載されている。
【先行技術文献】
【特許文献】
【０００４】
【特許文献１】特開２００９−６１０５２号公報
【特許文献２】特表２００７−５１１３２６号公報
【特許文献３】特表２００８−５０８０８２号公報
【発明の概要】
【発明が解決しようとする課題】
【０００５】
外包材が、着用者の腹側に配される腹側シート部材と着用者の背側に配される背側シート部材とに分割されたパンツ型吸収性物品は、外包材の帯状原反からのトリムの除去を不要としたり、除去すべきトリムの小型化等を図ることができるが、着用時にふんどしのような外観を呈するものが多く、吸収性物品として重要な“モレに対する不安感”につながるため、そのような外観を好まない消費者も多い。特許文献１，２のパンツ型吸収性物品は、そのような外観の問題を有するものである。
特に、特許文献２のパンツ型吸収性物品は、背側シート部材の下縁部と吸収性本体の側縁部との角度が、吸収性物品の収縮時に大きくなるようになされているため、着用時に、背側シート部材の下縁部が着用者の側部上方に向かって斜めになり易く、着用者の臀部が一層露出し易くなる。
特許文献３のプルオン衣類は、後ろベルト部分（背側シート部材）の縦方向の長さが、前ベルト部分（腹側シート部材）の同長さよりも長いことによって、着用者の臀部の被覆性が高められている。しかし、このパンツ型吸収性物品においても、後ろベルト部分の下縁部より下方や吸収性本体の側縁部から着用者の臀部の一部がはみ出した状態となり易く、見栄えが悪い、漏れやすい等の印象を与える等、着用者の背側や側方から見た外観が好ましくないという問題があった。
【０００６】
従って、本発明は、外包材が、着用者の腹側に配される腹側シート部材と着用者の背側に配される背側シート部材とに分割されたタイプのパンツ型吸収性物品でありながら、着用者の臀部の被覆性に優れたパンツ型吸収性物品に関する。
【課題を解決するための手段】
【０００７】
本発明は、着用者の腹側に配される腹側シート部材と、着用者の背側に配された背側シート部材と、腹側シート部材及び背側シート部材に架け渡して固定された縦長の吸収性本体とを具備し、腹側シート部材と背側シート部材の両側縁部に、腹側シート部材と背側シート部材とが接合されて形成された一対のサイドシール部を有するパンツ型吸収性物品であって、前記背側シート部材は、矩形状を有し、前記サイドシール部より下方に延出する背側延出部を有しており、前記吸収性本体は、縦長の吸収体、及び該吸収体の長手方向の両側縁それぞれの外方に位置する側部シート部を有しており、前記側部シート部は、着用者の股間部に配される股下部及び前記背側延出部上に、該側部シート部に伸長状態で固定された弾性部材によって伸縮性を示す伸縮領域を有しており、前記背側シート部材の少なくとも前記背側延出部に、前記伸縮領域の幅方向の少なくとも一部が接合されて該伸縮領域と共に伸縮する背側縦伸縮部が形成されており、該背側縦伸縮部の収縮により、自然状態の吸収性物品における前記背側シート部材の該背側縦伸縮部付近の下縁部に、上方に向けて凸に屈曲した部分が生じているパンツ型吸収性物品を提供するものである。
【０００８】
また、本発明は、着用者の腹側に配される腹側シート部材と、着用者の背側に配された背側シート部材と、腹側シート部材及び背側シート部材に架け渡して固定された縦長の吸収性本体とを具備し、腹側シート部材と背側シート部材の両側縁部に、腹側シート部材と背側シート部材とが接合されて形成された一対のサイドシール部を有するパンツ型吸収性物品であって、前記背側シート部材は、矩形状を有し、前記サイドシール部より下方に延出する背側延出部を有しており、前記吸収性本体は、縦長の吸収体、該吸収体の長手方向の両側縁それぞれの外方に位置する側部シート部、及び該側部シート部より幅方向の内側に立体ギャザーを形成する立体ギャザー形成部を備えており、前記側部シート部は、着用者の股間部に配される股下部及び前記背側延出部上に、該側部シート部に伸長状態で固定された弾性部材によって伸縮性を示す伸縮領域を有しており、前記伸縮領域は、その幅方向における前記弾性部材が配されている部分が、前記背側延出部に接合されておらず、前記立体ギャザー形成部は、前記股下部及び前記背側延出部上に前記立体ギャザーを形成するようになされており、前記背側シート部材の少なくとも前記背側延出部における前記吸収体の側縁付近に、該吸収性本体の長手方向に伸縮する背側縦伸縮部が形成されており、該背側縦伸縮部の収縮により、自然状態の吸収性物品における前記背側シート部材の該背側縦伸縮部付近の下縁部に、上方に向けて凸に屈曲した部分が生じているパンツ型吸収性物品を提供するものである。
【発明の効果】
【０００９】
本発明のパンツ型吸収性物品は、外包材が、着用者の腹側に配される腹側シート部材と着用者の背側に配される背側シート部材とに分割されたタイプのパンツ型吸収性物品でありながら、着用者の臀部の被覆性に優れており、着用者の背側や側方から見た外観に優れている。
【図面の簡単な説明】
【００１０】
【図１】図１は、本発明の第１実施形態であるパンツ型使い捨ておむつの自然状態を示す図であり、（ａ）は、腹側シート部材側から見た図、（ｂ）は、背側シート部材側から図である。
【図２】図２は、図１に示すパンツ型使い捨ておむつの展開且つ伸長状態を示す平面図である。展開且つ伸長状態とは、サイドシール部を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図２のＩＩＩ−ＩＩＩ線拡大断面図である。
【図４】図４は、図２のＩＶ−ＩＶ線拡大断面図である。
【図５】図５は、図２のＶ−Ｖ線拡大断面図である。
【図６】図６は、図１に示すパンツ型使い捨ておむつの着用状態を着用者の斜め後ろ側から見た斜視図である。
【図７】図７は、本発明の第２実施形態のパンツ型使い捨ておむつを示す図で、（ａ）は、展開且つ伸長状態のおむつの吸収性本体をおむつ内面側から見た図、（ｂ）は、（ａ）のＸａ−Ｘａ線模式断面図（自然状態）、（ｃ）は、（ａ）のＸｂ−Ｘｂ線模式断面図である。
【図８】図８は、本発明の第３実施形態のパンツ型使い捨ておむつの展開且つ伸長状態を示す模式平面図である。
【図９】図９は、図８に示すパンツ型使い捨ておむつの断面図であり、（ａ）は、図８のＹａ−Ｙａ線拡大断面図、（ｂ）は、図８のＹｂ−Ｙｂ線拡大断面図である。
【図１０】図１０は、本発明の第４実施形態のパンツ型使い捨ておむつの展開且つ伸長状態を示す模式平面図である。
【図１１】図１１は、図１０に示すパンツ型使い捨ておむつの断面図であり、（ａ）は、図１１のＺａ−Ｚａ線拡大断面図、（ｂ）は、図１０のＺｂ−Ｚｂ線拡大断面図である
【図１２】図１２は、従来のパンツ型使い捨ておむつの着用状態を示す図（図６相当図）である。
【発明を実施するための形態】
【００１１】
以下、本発明のパンツ型吸収性物品を、その好ましい実施形態に基づき図面を参照しながら説明する。
本発明の第１実施形態であるパンツ型使い捨ておむつ１Ａ（以下、おむつ１Ａともいう）は、図１及び図２に示すように、着用者の腹側に配される腹側シート部材２Ａと、着用者の背側に配される背側シート部材２Ｂと、腹側シート部材２Ａ及び背側シート部材２Ｂに架け渡して固定された吸収性本体３とを具備し、腹側シート部材２Ａと背側シート部材２Ｂの両側縁部２ａ，２ａ，２ｂ，２ｂに、腹側シート部材２Ａと背側シート部材２Ｂとが接合されて形成されたサイドシール部４，４を有している。
【００１２】
腹側シート部材２Ａは、おむつ（吸収性物品）縦方向（Ｘ方向）の長さＬａが、サイドシール部４の同方向の長さＬ４より長く、該サイドシール部４より下方（着用時における下方）に延出する腹側延出部２１ａを有している。また、背側シート部材２Ｂは、おむつ（吸収性物品）縦方向（Ｘ方向）の長さＬｂが、サイドシール部４の同方向の長さＬ４より長く、該サイドシール部４より下方（着用時における下方）に延出する背側延出部２１ｂを有している。以下、腹側シート部材２Ａにおける、両側縁部にサイドシール部４，４を有する部分（腹側延出部２１ａ以外の部分）を腹側本体部２０ａ、背側シート部材２Ｂにおける、両側縁部にサイドシール部４，４を有する部分（背側延出部２１ｂ以外の部分）を、背側本体部２０ｂともいう。
腹側シート部材２Ａ及び背側シート部材２Ｂは、図２に示すように、それぞれ矩形状を有している。
なお、着用時における上方は、図１における上側（ウエスト開口部側）であり、着用時における下方は、図１における下側（股下部側）である。
【００１３】
より詳細に説明すると、おむつ１Ａは、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ（吸収性物品）１の縦方向は、腹側部Ａから股下部Ｃを経て背側部Ｂに亘る方向又はその逆方向（図２中Ｘ方向）であり、おむつ（吸収性物品）１の横方向は、おむつ縦方向と直交する方向（図２中Ｙ方向）である。
【００１４】
おむつ１Ａの吸収性本体３は、図３に示すように、液透過性の表面シート３１、液不透過性又は撥水性の裏面シート３２、及び両シート３１、３２間に介在配置された液保持性の吸収体３３を有しており、図２に示すように、Ｘ方向に長い長方形状に形成されている。吸収体３３は、図３に示すように、パルプ繊維等の繊維の集合体（不織布であっても良い）又はこれに吸水性ポリマーの粒子を保持させてなる吸収性コア３３ａと、該吸収性コア３３ａを被覆するコアラップシート３３ｂ，３３ｃからなる。吸収体３３も、Ｘ方向に長い長方形状に形成されている。吸収体３３と裏面シート３２との間は、接着剤やヒートシール、超音波シール等の任意の接合手段によって接合されている。
【００１５】
吸収性本体３は、長手方向の両側部に、吸収体３３の長手方向の両側縁それぞれの外方に位置する側部シート部３４，３４を有している。
側部シート部３４は、図２に示すように、吸収性本体３の長手方向に沿って延びており、吸収性本体３の全長に亘って存在している。側部シート部３４は、図３に示すように、液抵抗性ないし撥水性のシート材３５及び該シート材３５に固定された弾性部材３６，３６を備えている。
側部シート部３４は、その長手方向における弾性部材３６が配されている範囲の略全体が、弾性部材が吸収性本体の長手方向に伸長状態で配された伸縮領域３４ｃとなっている。伸縮領域３４ｃは、吸収性本体３の長手方向に伸縮する。
【００１６】
側部シート部３４の伸縮領域３４ｃは、股下部Ｃ（吸収性本体３の縦方向（Ｘ方向）における腹側シート部材２Ａと背側シート部材２Ｂとの間）に、側部ギャザーを形成する。
即ち、股下部Ｃにおける伸縮領域３４ｃは、側部シート部３４に伸長状態で配された弾性部材３６が収縮することで、側部シート部３４を構成するシート材３５が襞寄せされたり波状の断面形状に変形して、側部ギャザーを形成する。側部ギャザーは、おむつ１Ａの自然状態及び／又は着用状態で形成されれば良く、また、おむつ１Ａの着用時に、後述する線状接合部３０の外縁端を起立端３４ｂとして、着用者の肌側に向かって起立する。
【００１７】
また、側部シート部３４の伸縮領域３４ｃは、図２に示すように、背側シート部材２Ｂ上に延在しており、背側シート部材２Ｂは、伸縮領域３４ｃが接合されて該伸縮領域３４ｃと共に伸縮する背側縦伸縮部Ｅｂを有している。
そして、図１（ｂ）に示すように、その背側縦伸縮部Ｅｂの収縮により、自然状態のおむつ１Ａにおける背側シート部材２Ｂの該背側縦伸縮部Ｅｂ付近の下縁部２ｄに、上方に向けて凸に屈曲した部分Ｐｂ，Ｐｂが生じている。
【００１８】
また、本実施形態のおむつ１Ａは、図２に示すように、側部シート部３４の伸縮領域３４ｃが、腹側シート部材２Ａ上にも延在しており、腹側シート部材２Ａは、伸縮領域３４ｃが接合されて該伸縮領域３４ｃと共に伸縮する腹側縦伸縮部Ｅａを有している。
そして、図１（ａ）に示すように、その腹側縦伸縮部Ｅａの収縮により、自然状態のおむつ１Ａにおける背側シート部材２Ｂの該背側縦伸縮部Ｅｂ付近の下縁部２ｄに、上方に向けて凸に屈曲した部分Ｐａ，Ｐａが生じている。
【００１９】
本実施形態のおむつ１Ａの場合についてより具体的に説明すると、図２に示すように、弾性部材３６は、腹側シート部材２Ａ側の端部が、吸収性本体３の端部３ａとほぼ同位置にあり、弾性部材３６及び側部シート部３４の伸縮領域３４ｃは、Ｘ方向における、腹側シート部材２Ａと重なっている部分の全域において伸縮性を発現する。また、側部シート部３４は、腹側シート部材２Ａと重なっている部分の実質的に全域が、図４に示すように、接着剤８を介して腹側シート部材２Ａ上に接合されており、腹側シート部材２Ａは、側部シート部３４が重なっている部分のＸ方向の全域が腹側縦伸縮部Ｅａとなっている。
また、弾性部材３６は、背側シート部材２Ｂ側の端部も、吸収性本体３の端部３ｂとほぼ同位置にあり、弾性部材３６及び側部シート部３４の伸縮領域３４ｃは、Ｘ方向における、背側シート部材２Ｂと重なっている部分の全域において伸縮性を発現する。また、側部シート部３４は、背側シート部材２Ｂと重なっている部分の実質的に全域が、図５に示すように、接着剤８を介して背側シート部材２Ｂ上に接合されており、背側シート部材２Ｂは、側部シート部３４が重なっている部分のＸ方向の全域が背側縦伸縮部Ｅｂとなっている。
【００２０】
なお、腹側縦伸縮部Ｅａにおける弾性部材３６は、図４に示すように、図示しない接着剤等を介して、側部シート部３４を構成するシート材３５間に固定されており、弾性部材３６が内部に固定された側部シート部３４が、接着剤８を介して腹側シート部材２Ａに固定されている。背側縦伸縮部Ｅｂを形成するにおける弾性部材３６も同様であり、図５に示すように、図示しない接着剤等を介して、側部シート部３４を構成するシート材３５間に固定されており、該弾性部材３６が内部に固定された側部シート部３４が、接着剤８を介して背側シート部材２Ｂに固定されている。
【００２１】
弾性部材３６は、図２に示すように、Ｘ方向と平行に配されていることが好ましいが、Ｘ方向に対してある程度傾斜していても良いし、吸収性本体３の幅方向の内方又は外方に凸に湾曲させて配しても良い。
【００２２】
本実施形態のおむつ１Ａは、背側シート部材２Ｂに背側延出部２１ｂを有するため、腹側シート部材２Ａの両側縁部と背側シート部材２Ｂの両側縁部とがおむつ縦方向の全域で接合されている従来のおむつに比して、着用時に、背側シート部材２Ｂの下縁部２ｄが着用者の下方に位置し易い。しかも、その背側シート部材２Ｂに、前述した背側縦伸縮部Ｅｂが形成されており、背側縦伸縮部Ｅｂが、おむつの着用時においても、背側シート部材２Ｂの下縁部２ｄを、吸収性本体３の側部及びその近傍において上方に引き上げる。そのため、背側シート部材２Ｂの下縁部２ｄの位置が、図６に示すように、おむつ１Ａの吸収性本体３側と背側シート部材２Ｂの側縁部２ａ側とで大きく異なることが防止され、優れた臀部の被覆性が発現される。
図６には、ウエスト開口部５に幼児の胴部７ａ、レッグ開口部６に幼児の脚部７ｂが挿通された状態が示されている。図１２は、背側延出部を有する従来のパンツ型吸収性物品の場合を示す図であるが、背側シート部材の下縁部２ｄが、臀部と大腿部との境界に生じるライン７ｃからかなり上方に位置している。
【００２３】
上述したような効果をより確実に得る観点から、背側縦伸縮部Ｅｂは、背側延出部２１ｂに存在する部分の長さＬ２（図２参照）が、背側延出部２１ｂの長さＬ６（図２参照）の４０〜１００％であることが好ましく、より好ましくは７０〜１００％であり、更に好ましくは９０〜１００％である。
また、背側縦伸縮部Ｅｂは、延出部伸縮部Ｇ３に配された複数の弾性部材２４のうち、半数以上に跨って形成されていることが好ましく、最も股下部寄りの一本を除く他の弾性部材２４の総てに跨って形成されていることがより好ましく、総ての弾性部材２４に跨って形成されていることが更に好ましい。後述する腹側縦伸縮部Ｅａについても同様である。
また、背側縦伸縮部Ｅｂは、同様の観点から、図２に示すように、背側延出部２１ｂと背側本体部２０ｂとに跨って存在していることが好ましい。
また、おむつの自然状態において、背側シート部材２Ｂの下縁部２ｄにおける屈曲部分Ｐｂの高さＬｐ〔図１（ａ）参照〕は、背側延出部２１ｂの長さＬ６の１５〜７５％であることが好ましく、より好ましくは３０〜７０％である。
【００２４】
本実施形態のおむつ１Ａは、吸収性本体３の長手方向の両側部に、吸収性本体３の長手方向に沿って延びる一対の立体ギャザー形成部３８を有している。
立体ギャザー形成部３８は、シート材３５と、該シート材３５に固定された立体ギャザー形成用の弾性部材３９とを有してなる。立体ギャザー形成部３８は、少なくとも股下部Ｃに立体ギャザー３８ｃを形成する。本実施形態のおむつ１Ａにおけるシート材３５は、１枚のシートが、立体ギャザー形成部３８における、立体ギャザー３８ｃの自由端側の端部３８ａに配される折り曲げ部に沿って２つ折りされて２層構造とされている積層シートであり、該積層シートの層間に弾性部材３９が接着剤を介して固定されている。また、その積層シートは、側部シート部３４における、側部ギャザーの自由端側の端部３４ａに配される折り曲げ部に沿って更に２つ折りされており、それによって相対向した２枚の積層シート間に弾性部材３６が接着剤を介して固定されている。また、その積層シートどうしは、吸収体３３の側縁部の近傍、より詳細には側縁部のやや外方の位置に形成された線状接合部３０において、両者間に表面シート３１を介在させた状態で接合一体化されている。
【００２５】
線状接合部３０は、図２に示すように、長方形状の吸収体３３の両側縁部それぞれに沿って延びており、また、吸収体３３及び吸収性本体３のＸ方向の全長に亘って延びている。線状接合部３０は、連続直線状に形成されていることが好ましいが、点線状に形成されていても良い。また、線状接合部３０を形成する際の接合方法としては、ヒートシール、超音波シール、高周波シール、接着剤の各種公知の接合方法が用いられる。
【００２６】
立体ギャザー３８ｃは、おむつ１Ａの着用時に、着用者の肌側に向かって起立し、吸収性本体３から幅方向外方への液の流出を阻止する。表面シート３１、裏面シート３２、吸収性コア３３ａ，コアラップシート３３ｂ，３３ｃの形成材料としては、それぞれ、この種の吸収性物品に従来用いられているものと同様のものを用いることができる。吸収性本体３の裏面シート３２側には、肌触りを良くする観点等から不織布等からなる外装シート３２ａを配することもできる。
【００２７】
おむつ１Ａは、吸収性本体３が、側部シート部３４より幅方向の内側に、立体ギャザー３８ｃを備えているため、着用者の動きによって生じる立体ギャザーの隙間を他方こうに二重に配設したギャザーで確実に防止することができ、隙間からの排泄物の漏れを確実に防止することができる。立体ギャザー３８ｃは、少なくとも自然状態のおむつ１Ａに生じる。
【００２８】
腹側シート部材２Ａは、おむつ１Ａの展開且つ伸長状態（図２参照）において、横長の長方形状をなしており、おむつ縦方向（Ｘ方向）に沿う左右一対の側縁部２ａ，２ａと、おむつ横方向（Ｙ方向）に沿う上縁部２ｃ及び下縁部２ｄとを有している。背側シート部材２Ｂも、同様に、横長の長方形状をなしており、おむつ縦方向（Ｘ方向）に沿う左右一対の側縁部２ｂ，２ｂと、おむつ横方向（Ｙ方向）に沿う上縁部２ｃ及び下縁部２ｄとを有している。腹側シート部材２Ａと背側シート部材２Ｂは、図２のようにおむつ縦方向（Ｘ方向）の長さがおむつ横方向（Ｙ方向）において均一である。
【００２９】
そして、腹側シート部材２Ａは、前記側縁部２ａ，２ａそれぞれに、腹側シート部材２Ａと背側シート部材２Ｂとの間が接合されてサイドシール部４を形成している接合部２ａ’と、該接合部２ａ’の下方に延出し、腹側シート部材２Ａと背側シート部材２Ｂとの間が接合されていない非接合部２ａ”とを有している。また、背側シート部材２Ｂも同様に、前記側縁部２ｂ，２ｂそれぞれに、背側シート部材２Ｂと腹側シート部材２Ａとの間が接合されてサイドシール部４を形成している接合部２ｂ’と、該接合部２ｂ’の下方に延出し、背側シート部材２Ｂと腹側シート部材２Ａとの間が接合されていない非接合部２ｂ”とを有している。図２に示すように、非接合部２ａ”は、接合部２ａ’の延長線上に形成され、非接合部２ｂ”は、接合部２ｂ’の延長線上に形成されている。
そして、腹側シート部材２Ａの側縁部２ａの一部である接合部２ａ’と、背側シート部材２Ｂの側縁部２ｂの一部である接合部２ｂ’とが接合されていることによって、おむつ１Ａに、前述した一対のサイドシール部４，４が形成されている。この接合には、例えばヒートシール、高周波シール、超音波シール、接着剤等が用いられる。また、この接合によって、サイドシール部４，４と共に、ウエスト開口部５及び一対のレッグ開口部６，６が形成されている。
【００３０】
腹側シート部材２Ａの側縁部２ａの前記接合部２ａ’及び前記非接合部２ａ”は、おむつの展開且つ伸長状態（図２参照）において、おむつ縦方向に連続して延びている。また、背側シート部材２Ｂの側縁部２ｂの前記接合部２ｂ’及び前記非接合部２ｂ”も、おむつの展開且つ伸長状態（図２参照）において、おむつ縦方向に連続して延びている。図１には、ウエスト開口部５に幼児の胴部７ａ、レッグ開口部６，６に幼児の脚部７ｂ，７ｂが挿通された状態が示されている。
【００３１】
おむつ１Ａにおける腹側シート部材２Ａ及び背側シート部材２Ｂは何れも、図４及び図５に示すように、おむつの外面をなす外層シート２２と、外層シート２２の内面側に配された内層シート２３と、両シート２２，２３間にＸ方向に離間させて配された複数本の糸状の弾性部材２４とを備えており、それぞれ、図２に示すように、ウエスト伸縮部Ｇ１、胴回り伸縮部Ｇ２、延出部伸縮部Ｇ３を有している。
【００３２】
腹側シート部材２Ａ及び背側シート部材２Ｂは、２枚のシート２２，２３間に伸長状態で配した弾性部材２４の収縮により弾性伸縮性を発現するものについては、図２に示すように、弾性部材２４を伸長させた状態で、一対の側縁部２ａ，２ａどうし、及び一対の側縁部２ｂ，２ｂどうしが、それぞれ互いに平行であることが好ましい。また、腹側シート部材２Ａ及び背側シート部材２Ｂは、弾性部材２４を伸長させた状態で、横長長方形状であることが好ましい。
【００３３】
ウエスト伸縮部Ｇ１は、腹側シート部材２Ａ及び背側シート部材２Ｂのそれぞれにおいて、おむつ１Ａの縦方向（Ｘ方向）における、吸収性本体３の長手方向の端部３ａ，３ｂより外方に形成されている。胴回り伸縮部Ｇ２は、腹側シート部材２Ａ及び背側シート部材２Ｂのそれぞれにおいて、おむつ１Ａの縦方向（Ｘ方向）における、ウエスト伸縮部Ｇ１と腹側延出部２１ａ又は背側延出部２１ｂとの間に形成されている。延出部伸縮部Ｇ３は、腹側延出部２１ａ又は背側延出部２１ｂに形成されている。胴回り伸縮部Ｇ２及び延出部伸縮部Ｇ３は、それぞれ、おむつ１Ａの横方向（Ｙ方向）における、少なくとも、吸収性本体３の長手方向の両側縁それぞれより外方に位置する部分に形成されていることが好ましい。
【００３４】
ウエスト伸縮部Ｇ１、胴回り伸縮部Ｇ２、延出部伸縮部Ｇ３は、それぞれ、おむつ１Ａの横方向（Ｙ方向）における、少なくとも、吸収体３３の両側縁それぞれより外方に位置する部分において伸縮性を発現することが好ましい。
図１〜図５には、ウエスト伸縮部Ｇ１、胴回り伸縮部Ｇ２、延出部伸縮部Ｇ３を形成する弾性部材２４が、吸収体３３を横断して、腹側シート部材２Ａ及び背側シート部材２Ｂの全幅に亘って延びている実施形態を示したが、胴回り伸縮部Ｇ２及び／又は延出部伸縮部Ｇ３を形成する弾性部材２４は、吸収体３３の幅方向中央部と重なる部分においては、熱処理等により弾性部材の弾性を喪失させたり、弾性部材を切断したりする等により、該部分では弾性部材２４が腹側シート部材２Ａ及び背側シート部材２Ｂに伸縮性を付与しないようにすることが好ましい。
【００３５】
腹側シート部材２Ａ及び背側シート部材２Ｂを構成する２枚のシート２２，２３間は、腹側シート部材２Ａ及び背側シート部材２Ｂそれぞれの実質的に全域において接着剤で固定されていても良いし、特開２００５−８０８５９号公報に記載の弾性伸縮部材における２枚のシート材間のように、弾性部材２４を通らないように散点状に形成された多数の接合部において接合されていても良い。
【００３６】
吸収性本体３は、長手方向の一端側（腹側シート部材２Ａと重なっている部分）が、腹側シート部材２ＡのＹ方向の中央部に接着剤８を介して固定され、長手方向の他端側（背側シート部材２Ｂと重なっている部分）が、背側シート部材２ＢのＹ方向の中央部に接着剤８を介して固定されている。
【００３７】
本実施形態のおむつ１Ａにおける側部シート部３４，３４は、図２及び図４に示すように、それぞれ、おむつ１Ａの横方向（Ｙ方向）の外方側に倒した状態で、腹側シート部材２Ａの本体部２０ａ及び腹側延出部２１ａに固定されている。また、側部シート部３４，３４は、図２及び図５に示すように、それぞれ、おむつ１Ａの横方向（Ｙ方向）の外方側に倒した状態で、背側シート部材２Ｂの本体部２０ｂ及び背側延出部２１ｂに固定されている。
【００３８】
吸収性本体３は、幅方向中央部３ｃも、背側シート部材の本体部２０ｂ及び背側延出部２１ｂのそれぞれに対して接着剤８等により固定されていることが、背側シート部材２Ｂの吸収性本体３からの浮きを防止し、製品の外観的完成度を向上させる観点、および接着により剛性を向上させ、吸収性コアの幅を維持しモレを防止する観点から好ましい。
【００３９】
また、本実施形態のおむつ１Ａにおいては、腹側シート部材２Ａにも腹側延出部２１ａが形成されているため、おむつ１Ａを腹側部Ａ側から見たときも、ふんどしのような外観を呈さず外観が良好である。
【００４０】
また、腹側シート部材２Ａにも、前述した腹側縦伸縮部Ｅａが形成されており、腹側縦伸縮部Ｅａが、おむつの着用時においても、腹側シート部材２Ａの下縁部２ｄを、吸収性本体３の側部及びその近傍において上方に引き上げるため、腹側シート部材２Ａ側においても、腹側シート部材２Ａの下縁部２ｄが、比較的水平に近い状態に維持され、おむつ１Ａを腹側部Ａ側から見たときの外観が良好である。特に、本発明のおむつにおいては、腹側延出部２１ａを有することが必須ではないが、本実施形態のおむつ１Ａのように、腹側シート部材２Ａが腹側延出部２１ａを有し、側部シート部の伸縮領域３４ｃが腹側延出部２１ａに接合されて腹側縦伸縮部Ｅａが形成されていることが、おむつ１Ａを腹側部Ａ側から見たときの外観の一層の向上の点から好ましい。
【００４１】
腹側縦伸縮部Ｅａは、腹側延出部２１ａに存在する部分の長さＬ１（図２参照）が、腹側延出部２１ａの長さＬ５（図２参照）の４０〜１００％であることが好ましく、より好ましくは７０〜１００％であり、更に好ましくは９０〜１００％である。
また、腹側縦伸縮部Ｅａは、同様の観点から、図２に示すように、腹側延出部２１ａと腹側本体部２０ａとに跨って存在していることが好ましい。
また、腹側シート部材２Ａの下縁部２ｄの屈曲部分Ｐａの好ましい高さＬｐは、前述した屈曲部分Ｐｂと同様である。
【００４２】
また、腹側延出部２１ａ及び背側延出部２１ｂに形成された延出部伸縮部Ｇ３がそれぞれに配された弾性部材２４によって適度に収縮するため、おむつ１Ａを着用したときに、腹側シート部材２Ａの腹側延出部２１ａに存する側縁部２ａと、背側シート部材２Ｂの背側延出部２１ｂに存する側縁部２ｂが、腹側部方向と背側部方向に分かれて逆Ｙ字状に開く。そのため、おむつ１Ａを側方から見たときの外観が良好であり、漏れにくい印象を与えるものとなる。
【００４３】
また、腹側シート部材２Ａにも腹側延出部２１ａが形成されており、その腹側延出部２１ａにおむつ横方向に伸縮する延在部伸縮部Ｇ３が形成されているため、腹側延出部２１ａが鼠蹊部を覆うように面で当接し、排尿がなされた場合、その増加した重量を、腹側延出部２１ａ並びにその上の腹側シート部材の本体部２０ａ及び背側シート部材の本体部２０ｂにて支えることとなり、圧力の分散により、脚廻りにゴム跡等がより付きにくくなる。
【００４４】
腹側延出部２１ａの延出長さＬ５（おむつ縦方向の長さ，図２参照）は、腹側シート部材２Ａの同方向の長さＬａ（図２参照）の５〜６０％であることが好ましく、より好ましくは５〜５０％、更に好ましくは１０〜４０％であり、特に好ましくは２０〜４０％である。背側延出部２１ｂの延出長さＬ６（おむつ縦方向の長さ，図２参照）は、背側シート部材２Ｂの同方向の長さＬｂ（図２参照）の５〜６０％であることが好ましく、より好ましくは１０〜５０％であり、更に好ましくは２０〜４０％である。また、幼児用のおむつの場合、腹側及び背側延出部２１ａ，２１ｂそれぞれの延出長さＬ５，Ｌ６は、１０〜１００ｍｍであることが好ましく、より好ましくは１０〜７０ｍｍであり、更に好ましくは２０〜７０ｍｍであり、特に好ましくは２０〜６０ｍｍである。成人用のおむつの場合、腹側及び背側延出部２１ａ，２１ｂそれぞれの延出長さＬ５，Ｌ６は、１０〜１５０ｍｍであることが好ましく、より好ましくは１５〜１１０ｍｍであり、更に好ましくは２０〜１００ｍｍであり、特に好ましくは３０〜９０ｍｍである。
【００４５】
本実施形態のおむつ１Ａにおいては、外層シート２２及び内層シート２３は、ウエスト開口部の開口周縁端をなす端縁部２ｃにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート３１側の面に接合されている。
【００４６】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４，３６，３９の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００４７】
上述したおむつ１Ａは、例えば、腹側シート部材２Ａの帯状原反と背側シート部材２Ｂの帯状原反とを離間させて搬送しつつ、吸収性本体３を、両者間に架け渡すように間欠的に固定し、次いで、腹側シート部材２Ａの帯状原反と背側シート部材２Ｂの帯状原反とが重なるように二つ折りした後、サイドシール部４を形成するための熱シール等（接合）を行い、その接合と同時又はその後に切断して個々の使い捨ておむつに分割することにより効率的に製造することができる。この方法によれば、レッグ開口部形成用の貫通孔や切り欠きを形成する場合に比して、外包材の原反からのトリムの除去を不要としたり、除去すべきトリムの小型化等を図ることができる。特に腹側シート部材２Ａ及び背側シート部材２Ｂの帯状原反を流れ方向と直交する直線で切断したものが、完成したおむつ１Ａの腹側シート部材２Ａ及び背側シート部材２Ｂとなるようにすることがトリムの除去を不要とできるため好ましい。
【００４８】
次に、本発明の第２〜第４実施形態について説明する。
第２〜第４実施形態のパンツ型使い捨ておむつについては、第１実施形態との相違点について主として説明し、同様の点については説明を省略する。特に説明しない点は、第１実施形態と同様である。図７〜図１１には、第１実施形態のおむつの構成要素等と同様の構成要素等に同一の符号を付してある。
【００４９】
第２実施形態のおむつ１Ｂにおいては、表面シート３１が、吸収体３３の裏面側に巻き下げられており、吸収体３３の裏面シート３２側における吸収体３３の側縁から離間した位置に、表面シート３１の巻き下げられた部分と側部シート部３４形成用のシート材３５とが接合された接合点８１が形成されている。おむつ１Ｂにおける吸収体３３は、股下部Ｃに配された部分に左右一対の折曲誘導部３３３を備えた平面視矩形状の下部吸収性コア３３１と、下部吸収性コア３３１より小型で、下部吸収性コア３３１上に積層された上部吸収性コア３３２と、これらを被覆するコアラップシート（図示略）から形成されている。折曲誘導部３３３は、パルプ繊維等の吸収性コアの構成材料が配されていない欠落部、吸収性コアの構成材料が他の部分に比して少ない低坪量部、スリット等であり、曲げ剛性を低減して、吸収体３３の両側部が立ち上がり易くするものである。
【００５０】
第２実施形態のおむつ１Ｂも、第１実施形態と同様に、側部シート部３４及び立体ギャザー形成部３８を有しており、それらは股下部Ｃにおいて、側部ギャザー及び立体ギャザー３８ｃを形成するが、それらの起立端を形成する線状接合部３０は、折り返して相対向させたシート材３５どうしを接合して形成されている。
【００５１】
第２実施形態のおむつ１Ｂにおいても、図７（ｃ）に示すように、側部シート部３４は、おむつ横方向の外方側に倒した状態で腹側シート部材２Ａ又は背側シート部材２Ｂに固定されており、図７（ａ）に示すように、弾性部材３６が伸長状態で配された側部シート部３４が、背側延出部２１ｂ及び腹側延出部２１ａに接合されて背側縦伸縮部Ｅｂ及び腹側縦伸縮部Ｅａが形成されている。そのため、自然状態のおむつ１Ｂには、背側シート部材２Ｂの下縁部に、図１に示す屈曲部分Ｐｂと同様の屈曲部分（図示せず）が形成され、また、腹側シート部材２Ａの下縁部にも、図１に示す屈曲部分Ｐａと同様の屈曲部分（図示せず）が形成される。そのため、第２実施形態のおむつ１Ｂによれば、第１実施形態と同様の作用効果が奏し得られる。
【００５２】
第３実施形態のパンツ型使い捨ておむつ１Ｃ（図８及び図９参照）は、側部シート部３４の伸縮領域３４ｃが、背側シート部材２Ｂ及び腹側シート部材２Ａに接合されている態様が、第１実施形態と相違する。
即ち、第１実施形態のおむつ１Ａにおいては、図５に示すように、側部シート部３４の伸縮領域３４ｃは、その幅方向（Ｙ方向）の略全域が背側シート部材２Ｂの背側延出部２１ｂ上に接合されており、弾性部材３６が配されている部分も背側延出部２１ｂ上に接合されているのに対して、第３実施形態のおむつ１Ｃにおいては、図９（ｂ）に示すように、伸縮領域３４ｃは、その幅方向（Ｙ方向）において、吸収体３３寄りの部分のみが接着剤８を介して背側延出部２１ｂ上に接合されており、弾性部材３６が配されている部分は、背側延出部２１ｂ上に接合されていない。
【００５３】
また、第１実施形態のおむつ１Ａにおいては、図４に示すように、側部シート部３４の伸縮領域３４ｃは、その幅方向（Ｙ方向）の略全域が腹側シート部材２Ａの腹側延出部２１ａ上に接合されており、弾性部材３６が配されている部分も腹側延出部２１ａ上に接合されているのに対して、第３実施形態のおむつ１Ｃにおいては、図９（ａ）に示すように、伸縮領域３４ｃは、その幅方向（Ｙ方向）において、吸収体３寄りの部分のみが接着剤８を介して腹側延出部２１ａ上に接合されており、弾性部材３６が配されている部分は、腹側延出部２１ａ上に接合されていない。
図８中の斜線を付した領域が、第３実施形態のおむつ１Ｃにおいて、吸収性本体３と背側シート部材２Ｂとの間又は吸収性本体３と腹側シート部材２Ａとの間が接合されている領域である。
【００５４】
第３実施形態のおむつ１Ｃにおいては、側部シート部３４の伸縮領域３４ｃの幅方向（Ｙ方向）の一部が、背側延出部２１ｂに接合されていることによって、背側シート部材２Ｂに吸収性本体３の縦方向（Ｘ方向）に伸縮する背側縦伸縮部Ｅｂが形成されており、その背側縦伸縮部Ｅｂの収縮によって、自然状態のおむつにおける背側シート部材２Ｂの、背側縦伸縮部Ｅｂ付近の下縁部２ｄに、上方に向けて凸に屈曲した部分（図示せず）が生じる。
また、第３実施形態のおむつ１Ｃにおいては、側部シート部３４の伸縮領域３４ｃの幅方向（Ｙ方向）の一部が、腹側延出部２１ａに接合されて、腹側シート部材２Ａに腹側縦伸縮部Ｅａが形成されており、その腹側縦伸縮部Ｅａの収縮によって、自然状態のおむつにおける腹側シート部材２Ａの、腹側縦伸縮部Ｅａ付近の下縁部２ｄに、上方に向けて凸に屈曲した部分（図示せず）が生じる。
【００５５】
そのため、第３実施形態のおむつ１Ｃによっても、やや効果は劣るが、第１実施形態のおむつ１と同様の作用効果が奏し得られる。
なお、吸収性本体３の幅方向（Ｙ方向）において、伸縮領域３４ｃと、腹側延出部２１ａ又は背側延出部２１ｂとが接合されている領域と、伸縮領域３４ｃに固定された弾性部材３６との離間距離Ｌ７〔図９（ａ）（ｂ）参照〕は、例えば、０ｍｍ超１０ｍｍ以下とすることができる。また、前記離間距離Ｌ７は、腹側縦伸縮部Ｅａ又は背側縦伸縮部Ｅｂの幅（Ｙ方向の長さ）と、該離間距離Ｌ７との合計に対して、例えば５０〜８０％とすることができる。
【００５６】
第４実施形態のパンツ型使い捨ておむつ１Ｄにおいては、図１０及び図１１に示すように、吸収性本体３が、第１実施形態と同様に、縦長の吸収体３３、側部シート部３４及び立体ギャザー形成部３８を有している。また、側部シート部３４は、吸収体３３の長手方向の両側縁それぞれの外方に位置しており、股下部Ｃ及び背側延出部上に伸縮領域３４ｃを有している。伸縮領域３４ｃは、側部シート部３４を構成するシート材３５間に伸長状態で固定された弾性部材３６によってＸ方向に伸縮性を示す。  そして、その伸縮領域３４ｃは、図１１（ｂ）に示すように、その幅方向（Ｙ方向）における弾性部材３６が配されている部分が、背側延出部２１ｂに接合されていない。より詳細には、伸縮領域３４ｃは、その幅方向における吸収体３３の端部より外方に位置する部分の全域が、背側延出部２１ｂ上に接合されていない。
図１０中の斜線を付した領域が、第４実施形態のおむつ１Ｄにおいて、吸収性本体３と背側シート部材２Ｂとの間又は吸収性本体３と腹側シート部材２Ａとの間が接合されている領域である。
【００５７】
図１０に示すように、側部シート部３４は、吸収性本体３の長手方向の両端部において、おむつ横方向の外方側に倒した状態で腹側シート部材２Ａ又は２Ｂに固定されている。他方、立体ギャザー形成部３８は、吸収性本体３の長手方向の両端部において、おむつ横方向の内方側に倒した状態で表面シート３１上に固定されている。
立体ギャザー形成部３８には、弾性部材３９が、腹側延出部２１ａから背側延出部２１ｂに亘って伸長状態で固定されており、股下部Ｃ、腹側延出部２１ａ上及び背側延出部２１ｂ上に亘って、立体ギャザー３８ｃが形成される。立体ギャザー３８ｃは、弾性部材３９の収縮力により、おむつの着用時に、弾性部材３９が配された側が表面シート３１から離間するように立ち上がる。
【００５８】
第４実施形態のおむつ１Ｄにおいては、背側延出部２１ｂ上に形成された立体ギャザー３８ｃの収縮力が、吸収体３３の側縁部又はその近傍まで及ぶようになされており、背側シート部材２Ｂの少なくとも背側延出部２１ｂにおける吸収体３３の側縁付近に、吸収性本体３の長手方向（Ｘ方向）に伸縮する背側縦伸縮部Ｅｂが形成されている。そして、その背側縦伸縮部Ｅｂの収縮によって、自然状態のおむつにおける背側シート部材２Ｂの、背側縦伸縮部Ｅｂ付近の下縁部２ｄに、上方に向けて凸に屈曲した部分（図示せず）が生じる。
また、第４実施形態のおむつ１Ｄにおいては、腹側延出部２１ａ上にも立体ギャザー３８ｃが形成されるようになされており、腹側延出部２１ａ上に形成された立体ギャザー３８ｃの収縮力が、吸収体３３の側縁部又はその近傍まで及ぶようになされており、腹側シート部材２Ｂの少なくとも腹側延出部２１ａにおける吸収体３３の側縁付近に、該吸収性本体３の長手方向（Ｘ方向）に伸縮する腹側縦伸縮部Ｅａが形成されている。そして、その腹側縦伸縮部Ｅａの収縮によって、自然状態のおむつにおける腹側シート部材２Ａの、腹側縦伸縮部Ｅａ付近の下縁部２ｄに、上方に向けて凸に屈曲した部分（図示せず）が生じる。
【００５９】
そのため、第４実施形態のおむつ１Ｄによっても、やや効果は劣るが、第１実施形態のおむつ１と同様の作用効果が奏し得られる。
【００６０】
背側シート部材２Ｂにおける背側縦伸縮部Ｅｂ付近の下縁部２ｄに、上方に向けて凸の屈曲部分を形成させる観点から、側部シート部３４の伸縮領域３４ｃは、股下部Ｃから背側延出部２１ｂ上に亘って延在していることが好ましく、腹側縦伸縮部Ｅａ付近の下縁部２ｄに、上方に向けて凸の屈曲部分を形成させる観点から、側部シート部３４の伸縮領域３４ｃは、股下部Ｃから腹側延出部２１ａ上に亘って延在していることが好ましい。
また、腹側シート部材２Ａにおける背側縦伸縮部Ｅｂ付近の下縁部２ｄに、上方に向けて凸の屈曲部分を形成させる観点から、側部シート部３４の伸縮領域３４ｃは、股下部Ｃから背側延出部２１ｂ上に亘って延在していることが好ましく、腹側縦伸縮部Ｅａ付近の下縁部２ｄに、上方に向けて凸の屈曲部分を形成させる観点から、側部シート部３４の伸縮領域３４ｃは、股下部Ｃから腹側延出部２１ａ上に亘って延在していることが好ましい。
【００６１】
背側シート部材２Ｂ及び／又は腹側シート部材２Ａの下縁部２ｄに、上方に向けて凸の屈曲部分を形成させる観点から、吸収体３３は、図１０に示すように、股下部Ｃにおける、中央部と両側部との間に、吸収性コア３３ａの構成材料が配されていない欠落部又は該吸収性コア３３ａの構成材料が他の部分に比して少ない低坪量部からなる柔軟部３Ｊを有していることが好ましい。柔軟部３Ｊを設けることで、吸収体３３の両側部が、中央部とは独立して収縮し易くなり、縦伸縮部の伸縮が阻害されず、背側シート部材２Ｂ及び／又は腹側シート部材２Ａの下縁部２ｄに上方に凸の屈曲部分が生じ易くなる。
【００６２】
以上、本発明をその好ましい実施形態に基づき説明したが、本発明は上述した実施形態に制限されず適宜変更可能である。
例えば、吸収性本体３は、立体ギャザー形成部を有しないものであっても良い。
また、胴回り伸縮部Ｇ２を、腹側シート部材２Ａ及び／又は背側シート部材２Ｂの全幅に亘るように形成しても良く、延出部伸縮部Ｇ３も、腹側シート部材２Ａ及び／又は背側シート部材２Ｂの全幅に亘るように形成しても良い。
また、背側縦伸縮部Ｅｂは、背側延出部２１ｂのみに形成されていても良く、腹側縦伸縮部Ｅａも腹側延出部２１ａのみに形成されていても良い。背側縦伸縮部Ｅｂ及び腹側縦伸縮部Ｅａは、何れも吸収性本体の長手方向の端部に達していないものであっても良い。
【００６３】
また、腹側シート部材２Ａは、腹側縦伸縮部Ｅａを有していなくても良く、また腹側延出部２１ａ自体を有していなくても良い。例えば、第１〜第３実施形態のおむつにおける弾性部材３６を、背側シート部材２Ｂ上及び股下部Ｃのみに配しても良く、第４実施形態におむつにおける弾性部材３９を、背側シート部材２Ｂ上及び股下部Ｃのみに配しても良い。また、側部シート部３４に配する弾性部材３６の本数は、２本に代えて、１本又は３本以上（例えば３〜５本等）とすることもできる。立体ギャザー形成部３８に配する弾性部材３９の本数も、第３実施形態のように１本としても良く、３本以上（例えば３〜５本等）とすることもできる。
【００６４】
また、サイドシール部４は、腹側及び背側シート部材の側縁部２ａ，２ｂを接合して形成されているが、サイドシール部４の外側に腹側シート部材２Ａと背側シート部材２Ｂとが接合されていない細幅（例えば０ｍｍ超２０ｍｍ以下）の非接合部分を有していてもよい。
【００６５】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。例えば、第１〜第４実施形態の何れか１つの腹側部Ａ側の構成と、第１〜第４実施形態の何れか１つの背側部Ｂ側の構成とを組み合わせても良い。
【符号の説明】
【００６６】
１Ａ〜１Ｄ  パンツ型使い捨ておむつ（パンツ型吸収性物品）
２Ａ  腹側シート部材
２ａ，２ａ  側縁部
２０ａ  腹側本体部
２１ａ  腹側延出部
２Ｂ  背側シート部材
２ｂ，２ｂ  側縁部
２０ｂ  背側本体部
２１ｂ  背側延出部
２２  外層シート
２３  内層シート
２４  弾性部材
３  吸収性本体
３１  表面シート
３２  裏面シート
３３  吸収体
３３ａ  吸収性コア
３３ｂ，３３ｃ  コアラップシート
３Ｊ  柔軟部
３４  側部シート部
３４ｃ  伸縮領域
３５  側部シート部を構成するシート材
３６  側部ギャザーを形成する弾性部材
３８  立体ギャザー形成部
３８ｃ  立体ギャザー
４  サイドシール部
５  ウエスト開口部
６  レッグ開口部
Ａ  腹側部
Ｂ  背側部
Ｃ  股下部
Ｅａ  腹側縦伸縮部
Ｅｂ  背側縦伸縮部
Ｇ１  ウエスト伸縮部
Ｇ２  胴回り伸縮部
Ｇ３  延出部伸縮部
Ｐｂ  上方に向けて凸に屈曲した部分
【図１】
2012075801.tif 000003
【図２】
2012075801.tif 000004
【図３】
2012075801.tif 000005
【図４】
2012075801.tif 000006
【図５】
2012075801.tif 000007
【図６】
2012075801.tif 000008
【図７】
2012075801.tif 000009
【図８】
2012075801.tif 000010
【図９】
2012075801.tif 000011
【図１０】
2012075801.tif 000012
【図１１】
2012075801.tif 000013
【図１２】
2012075801.tif 000014